(57)【要約】【課題】入場者を撮影した撮影画像に基づいてその入場者の種別に応じた種類の入場処理を決定できるようにする。【解決手段】入場管理サーバ１１は、画像撮影装置１３によって入場者を撮影した入場者撮影画像と画像登録データベース１４内に登録されている各登録者撮影画像とを比較して入場者の種別を判別し、この種別に応じてその入場者に対して実行する入場処理を決定する。【選択図】　図１
2004126829.tif 000002
【特許請求の範囲】
【請求項１】
入場者を撮影する撮影手段と、
予め登録されている登録者毎に、その種類を示す種別情報と共に登録者を撮影した撮影画像を記憶管理する登録者記憶手段と、
前記撮影手段によって撮影された入場者撮影画像と前記登録者記憶手段内の各登録者撮影画像とを比較して入場者の種別を判別する判別手段と、
当該入場者に対して実行する入場処理を前記判別手段によって判別された種別に応じて決定する決定手段と、
を具備したことを特徴とする入場者管理システム。
【請求項２】
受付担当者側の受付端末と警備担当者側の警備端末とにネットワークを介して接続され、
前記決定手段は、入場者の種別に応じて受付対応の必要があれば前記受付端末に対して受付業務を指示する通知処理を入場処理として決定し、警備対応の必要があれば前記警備端末に対して警備業務を指示する通知処理を入場処理として決定する、
ようにしたことを特徴とする請求項１記載の入場者管理システム。
【請求項３】
前記判別手段は、前記入場者撮影画像と各登録者撮影画像とを比較した結果、前記登録者記憶手段内に該当する撮影画像が登録されていない非登録者であることを判別した場合に、前記決定手段は、その入場者が初来訪者である旨を前記受付端末あるいは前記警備端末に対して通知する処理を入場処理として決定する、
ようにしたことを特徴とする請求項２記載の入場者管理システム。
【請求項４】
前記登録者毎にその入場を一時的に許可する為の入場条件を記憶管理する条件記憶手段を有し、
前記判別手段は、入場者の種別を判別した結果、一時的に入場が許可された一時許可者である場合には、更に、その入場者の入場条件に合致するかを判別し、
前記決定手段は、この入場条件に合致する場合にはその入場記録の実行を指示し、入場条件に合致しない場合にはその旨を少なくとも前記警備端末に対して通知する処理を入場処理として決定する、
ようにしたことを特徴とする請求項２記載の入場者管理システム。
【請求項５】
前記判別手段は、入場者撮影画像と各登録者撮影画像とを比較した結果、入場禁止者であることを判別した場合に、前記決定手段は、その旨を少なくとも前記警備端末に対して通知する処理を入場処理として決定する、
ようにしたことを特徴とする請求項２記載の入場者管理システム。
【請求項６】
来訪の予約情報を記憶管理する来訪予約記憶手段と、
入場者が検出される毎に前記来訪予約記憶手段を参照して予約有無を判別する判別手段と、
を設け、前記決定手段は、前記判別された入場者の予約有無を受付担当者側の受付端末にネットワークを介して通知する処理を入場処理として決定する、
ようにしたことを特徴とする請求項１記載の入場者管理システム。
【請求項７】
退場者を撮影する撮影手段を設け、
この撮影手段によって撮影された退場者撮影画像と前記入場者撮影画像とを比較した結果、両者が一致する場合には退場記録を行い、不一致の場合にはその旨を警備担当者側の警備端末にネットワークを介して通知する、
ようにしたことをを特徴とする請求項１記載の入場者管理システム。
【請求項８】
前記受付端末、前記警備端末に対して通知処理を行う際に、その通知内容を示すメッセージ情報と共に当該入場者の撮影画像も合わせて送信する、
ようにしたことを特徴とする請求項２乃至７何れか記載の入場者管理システム。
【請求項９】
来訪の予約情報を記憶管理する来訪予約記憶手段と、
入場者が検出される毎に、前記来訪予約記憶手段を参照して予約有無を判別する判別手段と、
を設け、前記判別手段によって来訪予約が有ることが判別された場合に、その面会相手先側の端末に対して来訪者が来た旨を通知する、
ようにしたことを特徴とする請求項１記載の入場者管理システム。
【請求項１０】
前記判別手段によって来訪予約が無いことが判別された場合に、その来訪者が過去に面会した相手先を特定し、この相手先側の端末に対して来訪者が来た旨を通知する、
ようにしたことを特徴とする請求項９記載の入場者管理システム。
【請求項１１】
所属団体を構成する正規な構成員毎に、その入場情報を人事情報として記憶管理する人事情報記憶手段を有し、
前記判別手段によって入場者の種別が判別された結果、その入場者が正規な構成員であれば、前記決定手段は、前記人事情報記憶手段への入場記録を指示する処理を入場処理として決定する、
ようにしたことを特徴とする請求項１記載の入場者管理システム。
【請求項１２】
前記撮影手段によって撮影された入場者撮影画像は、入口付近全体を撮影した撮影画像の中から人物像を特定して拡大処理した後に、この拡大画像から顔画像の特徴部分を抽出した画像であり、この抽出画像と前記登録者撮影画像との特徴比較を行う、
ようにしたことをを特徴とする請求項１記載の入場者管理システム。
【請求項１３】
前記入場者撮影画像と各登録者撮影画像とを比較した結果、前記判別手段によって非登録者であることが判別された場合に、その入場者を識別する識別情報を生成し、この識別情報と共に前記撮影手段によって撮影された入場者撮影画像を前記登録者記憶手段に登録する、
ようにしたことを特徴とする請求項１あるいは１２記載の入場者管理システム。
【請求項１４】
入場者および退場者を撮影する撮影手段と、
この撮影手段によって撮影された入場者撮影画像を記憶管理する入場者記憶手段と、
この入退場者記憶手段に記憶されている入場者撮影画像と前記撮影手段によって退場時に撮影された退場者撮影画像とを比較することによって現時点までに退場していない未退場者を特定する特定手段と、
を具備したことを特徴とする入場者管理システム。
【請求項１５】
前記特定手段によって特定された未退場者の種別を判別し、その種別に応じて未退場者所持の端末あるいは警備担当者側の警備端末にネットワークを介して未退場である旨を通知する、
【請求項１６】
前記特定手段によって未退場者が特定された場合に、予め決められている退場条件に該当するかを判別し、その条件に該当しない場合にはその旨を警備担当者側の警備端末にネットワークを介して通知すると共に、その撮影画像を読み出して送信する、
ようにしたことをを特徴とする請求項１５記載の入場者管理システム。
【請求項１７】
コンピュータに対して、
予め登録されている登録者毎に、その種類を示す種別情報と共に登録者を撮影した撮影画像を記憶管理する機能と、
入場者を撮影した入場者撮影画像と前記各登録者撮影画像とを比較して入場者の種別を判別する機能と、
当該入場者に対して実行する入場処理を前記判別された種別に応じて決定する機能と、
を実現させるためのプログラム。
【請求項１８】
コンピュータに対して、
入場者を撮影した入場者撮影画像を記憶管理する機能と、
前記入場者撮影画像と退場時に撮影された退場者撮影画像とを比較することによって現時点までに退場していない未退場者を特定する機能と、
を実現させるためのプログラム。
【発明の詳細な説明】
【０００１】
【発明の属する技術分野】
この発明は、会社等へ入場する入場者を管理する入場者管理システムおよびプログラムに関する。
【０００２】
【従来の技術】
一般に、会社では、第三者の不正入場を禁止するセキュリティ管理を行う為に構内への入退場者をチェックするようにしており、例えば、従業員にあっては、入退場時に警備員に対して自己のＩＤカードを提示し、また、出入業者等であれば、警備窓口や受付窓口において入退場手続きを行うようにしている。
なお、従来では、入退場に関するセキュリティ管理を図るものとして、例えば、ＩＤカード、撮影画像を使用する入退室管理端末装置（特許文献１参照）、来客者の音声入力および画像入力を使用する受付管理システム（特許文献２参照）が知られている。
【０００３】
【特許文献１】
特開平０９−１９８５３８号公報
【特許文献２】
特開平１１−０２７４０８号公報
【０００４】
【発明が解決しようとする課題】
ところで、会社には、社員、出入業者に限らず、パートタイマ、アルバイト、退職者、取引停止業者、勧誘業者、不審者等、様々な人が頻繁に出入りする為、多くの警備担当者や受付担当者を配備しておく必要があり、人件費が嵩むと共に、例えば、勧誘業者、不審者等が警備窓口や受付窓口を通さずに入場したとしても、警備担当者、受付担当者がその入場に気が付かなかったり、社員や正規な出入業者、入場手続きを完了した者であると勘違いしてしまうこともある等、セキュリティ管理を確実に行うことは困難であった。
【０００５】
第１の発明の課題は、入場者を撮影した撮影画像に基づいてその入場者の種別に応じた種類の入場処理を決定できるようにすることである。
第２の発明の課題は、入場者を撮影した入場者撮影画像と退場者を撮影した退場者撮影画像とに基づいて現時点までに退場していない未退場者を特定できるようにすることである。
【０００６】
【課題を解決するための手段】
請求項１記載の発明（第１の発明）は、入場者を撮影する撮影手段と、予め登録されている登録者毎に、その種類を示す種別情報と共に登録者を撮影した撮影画像を記憶管理する登録者記憶手段と、前記撮影手段によって撮影された入場者撮影画像と前記登録者記憶手段内の各登録者撮影画像とを比較して入場者の種別を判別する判別手段と、当該入場者に対して実行する入場処理を前記判別手段によって判別された種別に応じて決定する決定手段とを具備するものである。
更に、コンピュータに対して、上述した請求項１記載の発明に示した主要機能を実現させるためのプログラムを提供する（請求項１７記載の発明）。
【０００７】
したがって、請求項１、１７記載の発明は、入場者を撮影した入場者撮影画像と予め登録されている撮影画像とを比較して入場者の種別を判別し、この種別に応じてその入場者に対して実行する入場処理を決定するようにしたから、入場者の種別、例えば、社員、出入業者、パートタイマ等に応じて木目細かな入場処理を実行することができ、多くの警備担当者や受付担当者を配備しておかなくても、確実なセキュリティ管理や適切な受付対応を容易に実現することができる他、警備担当者や受付担当者の負担を大幅に軽減することも可能となる。
【０００８】
なお、請求項１記載の発明は次のようなものであってもよい。
受付担当者側の受付端末と警備担当者側の警備端末とにネットワークを介して接続され、前記決定手段は、入場者の種別に応じて受付対応の必要があれば前記受付端末に対して受付業務を指示する通知処理を入場処理として決定し、警備対応の必要があれば前記警備端末に対して警備業務を指示する通知処理を入場処理として決定する（請求項２記載の発明）。
したがって、請求項２記載の発明によれば、請求項１記載の発明と同様の効果を有する他に、入場者の種別に応じて受付対応の必要があれば受付端末に対して受付業務を指示する通知処理を入場処理として決定し、警備対応の必要があれば警備端末に対して警備業務を指示する通知処理を入場処理として決定するようにしたから、例えば、出入業者、取引停止業者、勧誘業者等に応じて受付担当者、警備担当者に業務を振分けることができ、入場者の種別に応じて必要とする業務を専任担当者によって確実かつ円滑に行うことが可能となる。
【０００９】
前記判別手段は、前記入場者撮影画像と各登録者撮影画像とを比較した結果、前記登録者記憶手段内に該当する撮影画像が登録されていない非登録者であることを判別した場合に、前記決定手段は、その入場者が初来訪者である旨を前記受付端末あるいは前記警備端末に対して通知する処理を入場処理として決定する（請求項３記載の発明）。
したがって、請求項３記載の発明によれば、請求項１記載の発明と同様の効果を有する他に、入場者が非登録者である場合に、その入場者が初来訪者である旨を受付端末あるいは警備端末に通知するようにしたから、受付担当者、警備担当者にあっては、例えば、勧誘業者、不審者等の入場に気が付かなかったり、社員や正規な出入業者あるいは入場手続きを完了した者であると勘違いすることもなく、勧誘業者、不審者等に対して適切かつ迅速な対応が可能となる。
【００１０】
前記登録者毎にその入場を一時的に許可する為の入場条件を記憶管理する条件記憶手段を有し、前記判別手段は、入場者の種別を判別した結果、一時的に入場が許可された一時許可者である場合には、更に、その入場者の入場条件に合致するかを判別し、前記決定手段は、この入場条件に合致する場合にはその入場記録の実行を指示し、入場条件に合致しない場合にはその旨を少なくとも前記警備端末に対して通知する処理を入場処理として決定する（請求項４記載の発明）。
したがって、請求項４記載の発明によれば、請求項１記載の発明と同様の効果を有する他に、入場者が一時的に入場が許可された一時許可者である場合、その入場条件に合致すれば、その入場記録の実行を指示し、入場条件に合致しない場合にはその旨を少なくとも警備端末に対して通知するようにしたから、例えば、パートタイマ、アルバイトあるいは一時的に取引を行う出入業者に対する入場を制限付きで管理することができる。
【００１１】
前記判別手段は、入場者撮影画像と各登録者撮影画像とを比較した結果、入場禁止者であることを判別した場合に、前記決定手段は、その旨を少なくとも前記警備端末に対して通知する処理を入場処理として決定する（請求項５記載の発明）。
したがって、請求項５記載の発明によれば、請求項１記載の発明と同様の効果を有する他に、取引停止業者等のように入場禁止者が入場した場合には、その旨を少なくとも警備端末に通知するようにしたから、入場禁止者に対して迅速な対応が可能となる。
【００１２】
来訪の予約情報を記憶管理する来訪予約記憶手段と、入場者が検出される毎に前記来訪予約記憶手段を参照して予約有無を判別する判別手段とを設け、前記決定手段は、前記判別された入場者の予約有無を受付担当者側の受付端末にネットワークを介して通知する処理を入場処理として決定する（請求項６記載の発明）。
したがって、請求項６記載の発明によれば、請求項１記載の発明と同様の効果を有する他に、入場者が検出される毎に予約有無を判別し、この予約有無を受付端末に通知するようにしたから、受付業務の円滑化が可能となる。
【００１３】
退場者を撮影する撮影手段を設け、この撮影手段によって撮影された退場者撮影画像と前記入場者撮影画像とを比較した結果、両者が一致する場合には退場記録を行い、不一致の場合にはその旨を警備担当者側の警備端末にネットワークを介して通知する（請求項７記載の発明）。
したがって、請求項７記載の発明によれば、請求項１記載の発明と同様の効果を有する他に、退場者を撮影した退場者撮影画像と入場者撮影画像とを比較した結果、両者が一致する場合には退場記録を行い、不一致の場合にはその旨を警備端末に通知するようにしたから、入退場管理の他に、正規な入口から入場しなかった不審者等をその退場時に検出することができ、安全性を一層高めることが可能となる。
【００１４】
前記受付端末、前記警備端末に対して通知処理を行う際に、その通知内容を示すメッセージ情報と共に当該入場者の撮影画像も合わせて送信する（請求項８記載の発明）。
したがって、請求項８記載の発明によれば、請求項１および２乃至７何れか記載の発明と同様の効果を有する他に、受付端末、警備端末に対して通知メッセージと共に入場者の撮影画像も合わせて送信するようにしたから、受付担当者、警備担当者にあっては、メッセージによって業務内容を確実に知ることができると共に、大勢の中から対象者を容易に確認することができる。
【００１５】
来訪の予約情報を記憶管理する来訪予約記憶手段と、入場者が検出される毎に、前記来訪予約記憶手段を参照して予約有無を判別する判別手段とを設け、前記判別手段によって来訪予約が有ることが判別された場合に、その面会相手先側の端末に対して来訪者が来た旨を通知する（請求項９記載の発明）。
したがって、請求項９記載の発明によれば、請求項１記載の発明と同様の効果を有する他に、来訪予約が有る場合に、来訪者が来た旨を来訪予約の相手先側の端末に通知するようにしたから、受付担当者の負担を軽減することができると共に、来訪者を待たせることなく、面会相手を素早く呼び出すことができる。
【００１６】
前記判別手段によって来訪予約が無いことが判別された場合に、その来訪者が過去に面会した相手先を特定し、この相手先側の端末に対して来訪者が来た旨を通知する（請求項１０記載の発明）。
したがって、請求項１０記載の発明によれば、請求項１記載の発明と同様の効果を有する他に、来訪予約が無い場合に、その来訪者が過去に面会した相手先側の端末に対して来訪者が来た旨を通知するようにしたから、例えば、毎回、来訪者と面会相手とが同一の場合には、その都度、来訪予約を行わなくてもく、予約業務の簡素化が可能となると共に、面会相手を素早く呼び出すことができる。
【００１７】
所属団体を構成する正規な構成員毎に、その入場情報を人事情報として記憶管理する人事情報記憶手段を有し、前記判別手段によって入場者の種別が判別された結果、その入場者が正規な構成員であれば、前記決定手段は、前記人事情報記憶手段への入場記録を指示する処理を入場処理として決定する（請求項１１記載の発明）。
したがって、請求項１１記載の発明によれば、請求項１記載の発明と同様の効果を有する他に、例えば、社員が入場した場合に、特別な操作を要求することなく、出勤記録を行うことができ、社員の負担を大幅に軽減することが可能となる。
【００１８】
前記撮影手段によって撮影された入場者撮影画像は、入口付近全体を撮影した撮影画像の中から人物像を特定して拡大処理した後に、この拡大画像から顔画像の特徴部分を抽出した画像であり、この抽出画像と前記登録者撮影画像との特徴比較を行う（請求項１２記載の発明）。
したがって、請求項１２記載の発明によれば、請求項１記載の発明と同様の効果を有する他に、入口付近全体を撮影した撮影画像の中から人物像を特定して拡大処理した後に、この拡大画像から顔画像の特徴部分を抽出するようにしたから、例え、遠方から入口付近全体を撮影したとしても、各入場者毎にその顔の特徴画像を得ることができ、また、入場者撮影画像と登録者撮影画像とを比較する際には、その特徴部分だけを比較するだけで本人確認を行うことができる。
なお、各人物像を解析してその性別を判別すると共に、身長や太り具合等も検出するようにすれば、より確実な本人確認が可能となる。つまり、顔画像の特徴抽出の他に、補助的な要素として、性別、身長、太り具合、作業着等を検出するようにしてもよい。
【００１９】
前記入場者撮影画像と各登録者撮影画像とを比較した結果、前記判別手段によって非登録者であることが判別された場合に、その入場者を識別する識別情報を生成し、この識別情報と共に前記撮影手段によって撮影された入場者撮影画像を前記登録者記憶手段に登録する（請求項１３記載の発明）。
したがって、請求項１３記載の発明によれば、請求項１記載の発明と同様の効果を有する他に、非登録者が入場した場合には、生成した識別情報と共にその入場者撮影画像を登録するようにしたから、手作業を行うことなく、新規登録者に関する情報を自動生成して登録することができる。
【００２０】
請求項１４記載の発明（第２の発明）は、入場者および退場者を撮影する撮影手段と、この撮影手段によって撮影された入場者撮影画像を記憶管理する入場者記憶手段と、この入退場者記憶手段に記憶されている入場者撮影画像と前記撮影手段によって退場時に撮影された退場者撮影画像とを比較することによって現時点までに退場していない未退場者を特定する特定手段とを具備するものである。
更に、コンピュータに対して、上述した請求項１４記載の発明に示した主要機能を実現させるためのプログラムを提供する（請求項１８記載の発明）。
【００２１】
したがって、請求項１４、１８記載の発明は、入場者を撮影した撮影画像と退場者を撮影した撮影画像とを比較することによって現時点までに退場していない未退場者を特定するようにしたから、入場時や退場時にその手続きを要求したり、ＩＤカードの提示を要求しなくても、入場者と退場者との撮影画像を対比するだけで、現時点の未退場者を特定することが可能となる。
【００２２】
なお、請求項１４記載の発明は次のようなものであってもよい。
前記特定手段によって特定された未退場者の種別を判別し、その種別に応じて未退場者所持の端末あるいは警備担当者側の警備端末にネットワークを介して未退場である旨を通知する（請求項１５記載の発明）。
したがって、請求項１５記載の発明によれば、請求項１４記載の発明と同様の効果を有する他に、未退場者の種別に応じた種類の処理の実行するようにしたから、例えば、社員、出入業者、勧誘業者等に応じて適切な対応が可能となる。
【００２３】
前記特定手段によって未退場者が特定された場合に、予め決められている退場条件に該当するかを判別し、その条件に該当しない場合にはその旨を警備担当者側の警備端末にネットワークを介して通知すると共に、その撮影画像を読み出して送信する（請求項１６記載の発明）。
したがって、請求項１６記載の発明によれば、請求項１４および１５記載の発明と同様の効果を有する他に、未退場者が予め決められている退場条件に該当しない場合には、その旨を警備端末に通知すると共に、その撮影画像を送信するようにしたから、未退場者のうち、居残り理由のある者を除き、特に問題がある者だけを警備端末に通知することができと共に、その警備担当者にあっては、その者の確認を撮影画像によって容易に確認することができる。
【００２４】
【発明の実施の形態】
以下、図１〜図１３を参照してこの発明の一実施形態を説明する。
図１は、会社内に構築されているＬＡＮ（構内通信網）システムの全体構成を示したブロック図である。
このＬＡＮシステムは、基幹システムを中心として、複数の管理システムをＬＡＮ間接続した構成で、入場管理システム１、受付管理システム２、警備管理システム３、人事管理システム４等がＬＡＮ（有線網／無線網）４を介して接続されている。
【００２５】
入場管理システム１は、入場管理サーバ１１を中核とするもので、構内の入口付近には、入場者（人物）を検知する人物センサ１２、この人物センサ１２の検知に応答して作動する画像撮影装置１３が設置されている。
また、構内の出口付近にも、退場者を検知する人物センサ１２、この人物センサ１３の検知に応答して作動する画像撮影装置１５が設置されている。すなわち、図２は、出入口付近に設置されている人物センサ１２、画像撮影装置１３の配置状態を示したもので、警備受付室Ａの近傍（出入口寄り）には、出入口方向に指向する入場者用の人物センサ１２および画像撮影装置１３が配置され、また、警備室ＧＬの近傍（出入口の反対寄り）には、構内方向を指向する退場者用の人物センサ１２および画像撮影装置１３が配置されている。なお、図中、ＡＣは、受付カウンタを示し、丸印は、人物を示している。
【００２６】
入場管理サーバ１１は、この入場管理システム１の全体動作を制御するもので、このサーバ１１側には、後述する画像登録ＤＢ（データベース）１４、出入業者管理データベース１５、入場管理データベース１６等の各種のデータベースが設けられている。
人物センサ１２は、例えば、赤外線の遮光を検知する遮光型センサや視覚センサを組み合わせることによって周囲の人物（人間像）を検知するもので、視覚センサによって得られた画像に処理を施すことによって人物を検知すると、その検知信号を入場管理サーバ１１へ与える。
画像撮影装置１３は、撮像素子としてのＣＣＤエリアセンサを利用して、被写体像をデジタル画像に変換する高画質のスチールカメラであり、対応する人物センサ１２からの検知信号に応答して広角撮影を行い、撮影毎にその撮影画像を入場管理サーバ１１へ転送する。
【００２７】
受付管理システム２は、受付業務を処理する受付管理サーバ２１を中核とするもので、複数の受付担当者が所持している携帯型の受付端末２２に無線網を介して接続されている。このサーバ２１側には、後述する来訪者データベース２３、予約登録データベース２４が設けられている。
警備管理システム３は、警備管理サーバ３１を中核とするもので、複数の警備担当者が所持している携帯型の警備端末３２に無線網を介して接続されていると共に、警備会社に広域通信網を介して接続されている。
人事管理システム４は、人事管理サーバ４１を中核とするもので、各人事担当者用の端末（図示せず）に接続されている。このサーバ４１には、社員情報を管理する社員データベース４２、社員の出勤時刻、退出時刻を管理かするタイムカードデータベース４３が設けられている。
【００２８】
なお、この実施形態においては、例えば、ＴＣＰ／ＩＰ通信プロトコルを利用したＨＴＴＰプロトコル等によって、各サーバ１１、２１、３１と、対応する端末２２、３２等の間でデジタル化（パケット化）されたデータの送受信を行うようにしており、また、コード化された制御情報を含むデータによって互いに必要な処理内容を認識しながら連携し合ってデータ処理を行うようにしている。なお、各サーバ１１、２１、３１には、データベースサーバ機能、Ｗｅｂサーバ機能等の各種のサーバ機能が備えられ、また、各端末２２、３２には、Ｗｅｂブラウザ機能等が備えられている。
【００２９】
図３は、入場管理サーバ１１側に設けられている各種のデータベースを示し、（Ａ）は、画像登録データベース１４、（Ｂ）は、出入業者管理データベース１５、（Ｃ）は、入場管理データベース１６の内容を示した図である。
画像登録データベース１４は、予め登録されている登録者毎に、その顔画像等を記憶管理するもので、登録者（社員、出入業者等）毎に割当てられている「登録コード」に対応して、その「登録画像」、「種別レベル」を記憶する構成となっている。「登録画像」は、各人の顔部分を撮影した撮影画像であり、「種別レベル」は、入場者の種別、つまり、“社員”、“出入業者”、“入場禁止者”、“既来訪者”のうち、その何れかを指定する種別識別情報である。なお、画像登録データベース１４の内容は、システム構築後、初期立ち上げ時までに各人の顔を撮影して登録するようにしている。
【００３０】
この場合、入場管理サーバ１１は、入口側の画像撮影装置１３によって撮影された入場者の撮影画像（顔画像）と、画像登録データベース１４内に登録されている登録画像（顔画像）とを比較することによって入場者の種別を判別すると共に、この入場者の種別に応じて当該入場者に対して実行する入場処理を決定し、受付端末２２に対して受付業務を指示したり、警備端末３２に対して警備業務を指示するようにしている。その際、非登録者（初来訪者）であれば、入場者が初来訪者である旨を受付端末２２あるいは警備端末３２に対して通知するようにしている。
【００３１】
出入業者管理データベース１５は、出入業者毎に予め任意に設定した出入業者に関する情報を記憶管理するもので、出入業者毎に、「登録コード」、「業者氏名」、「入場条件日時」、「退場条件日時」を記憶する構成となっている。ここで、「入場条件日時」は、入場を許可する月日、曜日、時間帯を示し、「退場条件日時」は、退場すべき日時を示すもので、この「入場条件日時」、「退場条件日時」によって、出入業者の入場から退場までを規制するようにしている。
【００３２】
入場管理データベース１６は、入場者が検知される毎に、その入場者を記憶管理するもので、入場者毎に、「登録コード」、「入場日時」、「退場条件日時」、「退場日時」、「撮影画像」を記憶する構成となっている。「登録コード」は、入場者が社員、出入業者等のように画像登録データベース１４に登録されている登録者の場合に、画像登録データベース１４から読み出されたものであり、「退場条件日時」は、入場者が出入業者の場合に、出入業者管理データベース１５から読み出されたものである。「入場日時」は、入場時の現在日時を示し、「撮影画像」は、入場時に撮影された顔画像を示し、更に、「退場日時」は、退場時の現在日時を示している。
【００３３】
図４は、人事管理サーバ４１側に設けられている各種のデータベースを示し、（Ａ）は、社員データベース４２、（Ｂ）は、タイムカードデータベース４３の内容を示した図である。
社員データベース４２は、人事管理用の通常のデータベースであり、社員毎に、「社員番号」、「社員名」、「所属名」、「連絡先」、‥‥「登録コード」を記憶する構成となっている。なお、「連絡先」としては、例えば、電子メールアドレスである。
タイムカードデータベース４３は、人事管理用の通常のデータベースであり、社員毎に、「社員番号」、「出勤日時」、「退勤日時」を記憶する構成となっている。
【００３４】
図５は、受付管理サーバ２１側に設けられている各種のデータベースを示し、（Ａ）は、来訪者データベース２３、（Ｂ）は、予約登録データベース２４の内容を示した図である。
この来訪者データベース２３は、来訪者毎に、「登録コード」、「来訪者名」、「前回来訪日時」、「前回社内担当者名」を記憶管理するもので、「登録コード」は、受付時に、画像登録データベース１４から読み出されたものである。「前回来訪日時」は、今回の来訪者が前回来訪した日時を示し、「前回社内担当者名」は、前回来訪時に面接した担当者名である。
予約登録データベース２４は、来訪予約を受ける毎に、その予約内容を記憶管理するもので、「予約日時」、「予約場所」、「来訪者名」、「社内担当者名」を記憶管理する構成となっている。
【００３５】
図６は、入場管理サーバ１１の基本的構成要素を示したブロック図である。
ＣＰＵ１０１は、記憶装置１０２内のオペレーティングシステムや各種アプリケーションソフトにしたがってこの入場管理サーバ１１の全体動作を制御する中央演算処理装置である。記憶装置１０２は、プログラム記憶領域とデータ記憶領域とを有し、このプログラム記憶領域内には、オペレーティングシステムの他に、各種アプリケーションプログラムが格納され、また、データ記憶領域には、上述した画像登録データベース１４、出入業者管理データベース１５、入場管理データベース１６等が格納され、磁気的、光学的、半導体メモリ等やその駆動系によって構成されている。この記録装置１０２はハードディスク等の固定的なメモリの他、ＣＤ−ＲＯＭ、ＤＶＤ等の着脱自在な記憶媒体を装着可能な構成であってもよい。この記憶装置１０２内のプログラムやデータは、必要に応じてＲＡＭ（例えば、スタティックＲＡＭ）１０３にロードされたり、ＲＡＭ１０３内のデータが記憶装置１０２にセーブされる。
【００３６】
ＲＡＭ１０３内には、プログラム実行領域と作業領域とを有している。更に、ＣＰＵ１０１は通信装置１０４を介して他の電子機器側のプログラム／データを直接アクセスして使用したり、通信装置１０４を介してダウンロード受信することもできる。通信装置１０４は、有線／無線の通信インターフェイスである。
一方、ＣＰＵ１０１にはその入出力周辺デバイスである入力装置１０５、表示装置１０６がバスラインを介して接続されており、入出力プログラムにしたがってＣＰＵ１０１はそれらの動作を制御する。
【００３７】
次に、この実施形態におけるＬＡＮシステムの動作アルゴリズムを図７〜図１３に示すフローチャートを参照して説明する。ここで、これらのフローチャートに記述されている各機能は、読み取り可能なプログラムコードの形態で格納されており、このプログラムコードにしたがった動作を逐次実行する。また、伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００３８】
図７および図９は、入口側の人物検知に応答して実行開始される入場管理サーバ１１の動作を示したフローチャートである。
先ず、入場管理サーバ１１は、入口側の人物センサ１２から送信されて来る検知信号を受信すると、入口側の画像撮影装置１３を作動させ、入口付近全体を撮影した撮影画像を取得すると共に（ステップＡ１）、この撮影画像の中から人物像を特定して拡大処理した後に、この拡大画像から顔画像を１つ抽出する（ステップＡ２）。そして、この撮影画像（顔画像）に基づいて画像登録データベース１４を検索し（ステップＡ３）、この顔画像と画像登録データベース１４内の各登録画像（顔画像）とを比較することによって、撮影画像に該当する登録画像の有無をチェックする（ステップＡ４）。この場合、撮影画像の中から特徴部分を抽出し、各登録画像との特徴比較を行うが、その際、登録画像の顔の向き、大きさに撮影画像を補正した後、顔の輪郭、目、口、鼻、額等の形、位置、大きさ、髪型、メガネの有無と種類等を個別に比較する他、それらを総合比較することによって画像比較を行うようにしている。
【００３９】
ここで、何れの登録画像にも該当していなければ（ステップＡ４でＮＯと判断された場合には）、つまり、入場者が非登録者（初来訪者）の場合には、その人物画像の中から服装部分を抽出し、予め用意されている服装パターンと比較することによってその人物の服装を判断し（ステップＡ５）、ビジネス用の服装かを調べる（ステップＡ６）。ここで、初来訪者がビジネス服を着用していれば、初来訪者である旨のメッセージと共にその撮影画像（人物画像）を受付端末２２および入口側の警備端末３２へ送信する（ステップＡ７）。これによって、警備担当者は、初来訪者が受付窓口へ行くまで監視し、受付担当者は、受付端末２２と入場管理サーバ１１との間で初来訪者登録処理を行う。なお、この初来訪者登録処理については、後で図１０および図１１を参照して詳述する。
【００４０】
また、ビジネス以外の服装であれば（ステップＡ６）、要注意人物である旨のメッセージと共にその撮影画像（人物画像）を入口側の警備端末３２へ送信する（ステップＡ８）。これによって、警備員は、要注意人物の可能性がある初来訪者の行動を監視することができる。
そして、入場管理サーバ１１は、上述した入口付近全体の撮影画像の中から他の人物が写っているかをチェックし（ステップＡ９）、他の人物が写っている場合には、ステップＡ３に戻り、以下、上述の動作を繰り返す（ステップＡ３〜Ａ９）。
【００４１】
一方、入場管理サーバ１１は、撮影画像と登録画像との特徴比較を行った結果、入場者が登録者の場合には（ステップＡ４）、その登録画像に対応付けられている「登録コード」および「種別レベル」を画像登録データベース１４から取得すると共に（ステップＡ１０）、現在日時を入場日時として取得し、この「登録コード」、「入場日時」、「撮影画像」に基づいて入場管理レコードを生成して入場管理データベース１６へ登録する（ステップＡ１１）。そして、当該登録者の「種別レベル」を判別し（ステップＡ１２）、“社員”、“出入業者”、“入場禁止者”、“既来訪者”の何れに該当するかをチェックする。
【００４２】
いま、入場者の種別が社員であれば（ステップＡ１３）、受付端末２２および警備端末３２へのメッセージ送信は行わず、社員の入場をそのまま許可するが、その際、人事管理システム４をアクセスして出勤日時の記録を指示する。すなわち、入場管理サーバ１１は、その「登録コード」を人事管理サーバ４１へ送信することによって社員データベース４２から「登録コード」対応の「社員番号」を取得し（ステップＡ１４）、この「社員番号」に「入場日時」を付加して人事管理サーバ４１へ送信することによって、タイムカードデータベース４３に当該社員対応の「入場日時」を出勤日時として記録すべきことを指示する（ステップＡ１５）。
【００４３】
また、入場者の種別が出入業者であれば（図８のステップＡ１６）、その「登録コード」に基づいて出入業者管理データベース１５をアクセスし、「登録コード」対応の「入場条件日時」、「退場条件日時」を取得した後（ステップＡ１７）、「入場条件日時」と「現在日時」とを比較して、入場条件に適合するかをチェックする（ステップＡ１８）。ここで、条件に適合する場合には、出入業者である旨のメッセージと共に、その撮影画像（人物画像）を入口側の警備端末３２へ送信する（ステップＡ１９）。
【００４４】
この場合、警備担当者は、人物画像によって本人確認を行いながら出入業者の持ち物チェックを行い、問題がなければ、入場を許可すると共に、その旨を入場管理サーバ１１へ通知する。
すると、入場管理サーバ１１は、この「登録コード」に基づいて入場管理データベース１６をアクセスし、該当するレコード内に「退場条件日時」を記録する（ステップＡ２０）。
【００４５】
一方、入場条件に適合しない場合には（ステップＡ１８）、出入不許可である旨のメッセージと共に、その撮影画像（人物画像）を入口側の警備端末３２へ送信する（ステップＡ２１）。この場合、警備担当者は、人物画像によって本人確認を行いながら出入業者の入場を規制する。
更に、入場者の種別が入場禁止者である場合にも（ステップＡ２２）、出入不許可である旨のメッセージと共に、その人物画像を入口側の警備端末３２へ送信する（ステップＡ２１）。
【００４６】
また、入場者の種別が既来訪者の場合には（図８のステップＡ２２でＮＯ）、受付管理システム２内の来訪者データベース２３から「登録コード」対応の「来訪者名」を取得すると共に（図９のステップＡ２３）、現在日時を取得し、「現在日時」と「来訪者名」とに基づいて予約登録データベース２４を検索し、現時点の予約レコードの有無をチェックする（ステップＡ２４）。ここで、来訪予約が有れば（ステップＡ２５）、来訪者（予約客）が来た旨のメッセージと、その予約レコードの内容をその撮影画像（人物画像）と共に受付端末２２へ送信する（ステップＡ２６）。これによって、受付担当者は、来訪者を応接室へ案内する等、来訪予約に関する業務を行う。
【００４７】
次に、予約登録データベース２４から「社内担当者名」を読み出し、この「社内担当者名」を人事管理サーバ４１へ送信し、社員データベース４２から「連絡先」を取得し、社内担当者宛てに電子メールによって来訪通知を行う（ステップＡ２７）。そして、来訪者データベース２３をアクセスし、該当するレコード内の「前回来訪日時」、「前回社内担当者名」を更新する（ステップＡ２８）。
また、来訪予約の無い場合には（ステップＡ２５）、来訪者データベース２３から前回来訪時に面会した「前回社内担当者名」を取得し（ステップＡ２９）、未予約の来訪者が来た旨を示すメッセージと、その撮影画像（人物画像）と、前回社内担当者名を受付端末２２へ送信する（ステップＡ３０）。
【００４８】
図１０は、受付端末２２側での来訪者登録処理を示したフローチャートであり、また、図１１は、入場管理サーバ１１側での来訪者登録処理を示したフローチャートである。
先ず、受付端末２２は、入場管理サーバ１１から送信されて来た撮影画像を表示出力させた状態において、この表示画面上で初来訪者の撮影画像を選択すると共に（ステップＢ１）、初来訪者から問い合わせた「来訪者名」、「社内担当者名」の他、現在日時を「来訪日時」として表示画面上の対応する項目位置に入力する（ステップＢ２）。そして、この表示画面内の「撮影画像」、「来訪者名」、「社内担当者名」、「来訪日時」を１レコード分のデータとし、このレコードデータの登録を要求する登録要求を入場管理サーバ１１へ送信する（ステップＢ３）。
【００４９】
この場合、入場管理サーバ１１は、受付端末２２からの登録要求に応答して図１１のフローチャートを実行開始する。
先ず、入場管理サーバ１１は、受付端末２２から送信されて来た「撮影画像」、「来訪者名」、「社内担当者名」、「来訪日時」を受信すると（ステップＣ１）、その初来訪者に対して割当てるべき「登録コード」を新規生成した後（ステップＣ２）、この「登録コード」、「撮影顔画像」、「種別レベル」の各項目を有する登録レコードを生成し、画像登録データベース１４へ新規登録する（ステップＣ３）。なお、この時点においては、「種別レベル」の内容を空欄とし、後でバッチ処理によって一括設定するようにしている。
【００５０】
次に、入場管理サーバ１１は、入場管理データベース１６および来訪者データベース２３への登録処理を行う。すなわち、「登録コード」、「入場日時」、「撮影画像」の各項目を有する入場管理レコードを生成し、入場管理データベース１６へ登録する（ステップＣ４）。更に、「登録コード」、「来訪者名」、「社内担当者名」、「来訪日時」の各項目を有する来訪者レコードを生成し、来訪者データベース２３へ登録する（ステップＣ５）。
【００５１】
図１２は、出口側の人物検知に応答して実行開始される入場管理サーバ１１の動作を示したフローチャートである。
先ず、入場管理サーバ１１は、出口側の人物センサ１２から送信されて来る検知信号を受信すると、出口側の画像撮影装置１３を作動させ、出口付近全体を撮影した撮影画像を取得すると共に（ステップＤ１）、この撮影画像の中から人物像を特定して拡大処理した後に、この拡大画像から顔画像を抽出する（ステップＤ２）。そして、この撮影画像（顔画像）に基づいて入場管理データベース１６を検索し（ステップＤ３）、この撮影画像（顔画像）と入場管理データベース１６内の各撮影画像との特徴を比較することによって、該当する入場者の有無をチェックする（ステップＤ４）。
【００５２】
この結果、何れかの入場者の画像に該当した場合、つまり、入場管理データベース１６内に登録されている入場者が退場する場合には（ステップＤ４）、該当する入場管理レコードを指定し、この指定レコード内に現在日時を退場日時として記録した後（ステップＤ５）、この指定レコードから読み出した「登録コード」に基づいて画像登録データベース１４をアクセスし、対応する「種別レベル」を取得する（ステップＤ６）。そして、この「種別レベル」を判別し、それが社員種別であるかをチェックする（ステップＤ７）。
【００５３】
いま、社員が退勤する場合には（ステップＤ７）、「登録コード」を人事管理サーバ４１へ送信することによって、社員データベース４２から「登録コード」対応の「社員番号」を取得すると共に（ステップＤ８）、この「社員番号」対応のタイムカードデータベース４３内のレコードに現在日時（退勤日時）を記録する（ステップＤ９）。
一方、退場者が入場管理データベース１６内に登録されている入場者でない場合、つまり、入場未確認者が退場する場合には（ステップＤ４）、未確認者の退場である旨のメッセージと共に、退場時の撮影画像を警備端末３２へ送信する（ステップＤ１０）。この場合、警備担当者は、撮影画像によって本人確認を行いながらその退場者の身元確認や入場ルートの問い合わせを行う。
【００５４】
図１３は、入場管理サーバ１１が定期的に実行する退場管理処理を示したフローチャートである。
先ず、入場管理サーバ１１は、システム日時を取得して定時チェックを行い、正時かを調べ（ステップＥ１）、正時でなければ、終業時刻に達したかをチェックする（ステップＥ５）。ここで、正時であれば、１時間毎に入場管理データベース１６をアクセスし、「退場日時」と「現在日時」とを比較し、退場日時を超えているレコードを検索し（ステップＥ２）、該当レコードが有れば（ステップＥ３）、その入場時の撮影画像を読み出して警備端末３２へ送信し、退場条件を越えて居残っている者を手配すべきことを指示する（ステップＥ４）。以下、１時間毎に上述の動作を繰り返す。
【００５５】
一方、終業時刻に達した場合には（ステップＥ５）、入場管理データベース１６をアクセスし、「退場日時」が記録されていない未退場のレコードを検索し（ステップＥ６）、該当レコードが有れば（ステップＥ７）、そのレコードから「登録コード」を読み出し、この「登録コード」に基づいて画像登録データベース１４を検索し、該当する「種別レベル」を取得する（ステップＥ８）。そして、社員種別かを判別し（ステップＥ９）、この結果、社員が居残っている場合には、この「登録コード」を人事管理サーバ４１へ送信し、社員データベース４２から「登録コード」対応の「社員番号」、「氏名」、「連絡先」を取得し（ステップＥ１０）、警備端末３２へ「氏名」、「連絡先」と共に、入場時の撮影画像を送信する（ステップＥ１１）。
【００５６】
また、終業時刻後においても、社員以外の者が居残っている場合には（ステップＥ９）、警備端末３２へ入場時の撮影画像を送信して、終業時刻を越えて居残っている者を手配すべきことを指示する（ステップ）。
そして、未退場者を全て検索し終わったか、つまり、入場管理データベース１６内の最終レコードまで検索し終わったかを調べ（ステップＥ１２）、終了していなければ、ステップＥ６に戻り、次の未退場者を検索し、以下、上述の動作を繰り返す。
【００５７】
以上のように、この実施形態において入場管理サーバ１１は、画像撮影装置１３によって入場者を撮影した入場者撮影画像と画像登録データベース１４内に登録されている各登録者撮影画像とを比較して入場者の種別を判別し、この種別に応じてその入場者に対して実行する入場処理を決定するようにしたから、例えば、社員、出入業者、パートタイマ等に応じて木目細かな入場処理を実行することができ、多くの警備担当者や受付担当者を配備しておかなくても、確実なセキュリティ管理や適切な受付対応を容易に実現することができる他、警備担当者や受付担当者の負担を大幅に軽減することも可能となる。
【００５８】
この場合、入場管理サーバ１１は、入場者の種別に応じて受付対応の必要があれば受付端末２２に対して受付業務を指示する通知処理を入場処理として決定し、警備対応の必要があれば警備端末３２に対して警備業務を指示する通知処理を入場処理として決定するようにしたから、例えば、出入業者、取引停止業者、勧誘業者等に応じて受付担当者、警備担当者に業務を振分けることができ、入場者の種別に応じて必要とする業務を専任担当者によって確実かつ円滑に行うことが可能となる。
【００５９】
また、入場者撮影画像と各登録者撮影画像とを比較した結果、非登録者であることを判別した場合に、その入場者が初来訪者である旨を受付端末２２、警備端末３２に通知するようにしたから、受付担当者、警備担当者にあっては、例えば、勧誘業者、不審者等の入場に気が付かなかったり、社員や正規な出入業者あるいは入場手続きを完了した者であると勘違いすることもなく、勧誘業者、不審者等に対して適切かつ迅速な対応が可能となる。
【００６０】
入場管理サーバ１１は、入場者が一時的に入場が許可された一時許可者である場合、その入場条件に合致すれば、その入場記録の実行を指示し、入場条件に合致しない場合にはその旨を警備端末３２に対して通知するようにしたから、例えば、パートタイマ、アルバイトあるいは一時的に取引を行う出入業者に対する入場を制限付きで管理することができる。
また、取引停止業者等のように入場禁止者が入場した場合には、その旨を警備端末３２に通知するようにしたから、入場禁止者に対する迅速対応が可能となる。
【００６１】
入場管理サーバ１１は、入場者が検出される毎に予約登録データベース２４を参照して予約有無を判別し、この予約有無を受付端末２２に通知するようにしたから、受付業務の円滑化が可能となる。
また、来訪予約が有る場合に、来訪者が来た旨を来訪予約の相手先側の端末に通知するようにしたから、受付担当者の負担を軽減することができると共に、来訪者を待たせることなく、面会相手を素早く呼び出すことができる。
更に、来訪予約が無い場合には、その来訪者が過去に面会した相手先側の端末に対して来訪者が来た旨を通知するようにしたから、例えば、毎回、来訪者と面会相手とが同一の場合には、その都度、来訪予約を行わなくてもく、予約業務の簡素化が可能となると共に、面会相手を素早く呼び出すことができる。
【００６２】
入場管理サーバ１１は、退場者を撮影した退場者撮影画像と入場者撮影画像とを比較した結果、両者が一致する場合には退場記録を行い、不一致の場合にはその旨を警備端末３２１に通知するようにしたから、入退場管理の他に、正規な入口から入場しなかった不審者等をその退場時に検出することができ、安全性を一層高めることが可能となる。
なお、入場管理サーバ１１は、受付端末２２、警備端末３２に対して通知メッセージと共に入場者の撮影画像も合わせて送信するようにしたから、受付担当者、警備担当者にあっては、メッセージによって業務内容を確実に知ることができると共に、大勢の中から対象者を容易に確認することができる。
【００６３】
入場管理サーバ１１は、社員が入場した場合に、人事管理サーバ４１をアクセスして出勤記録を行うようにしたから、社員の出勤時に特別な操作を要求することなく、出勤記録を行うことができ、社員の負担を大幅に軽減することが可能となる。
また、非登録者が入場した場合には、自動生成した登録コートと共にその入場者撮影画像を画像登録データベース１４内に登録するようにしたから、手作業を行うことなく、新規登録者に関する情報を自動生成して登録することができる。
【００６４】
また、入場管理サーバ１１は、入口付近全体を撮影した撮影画像の中から人物像を特定して拡大処理した後に、この拡大画像から顔画像の特徴部分を抽出するようにしたから、例え、遠方から入口付近全体を撮影したとしても、各入場者毎にその顔の特徴画像を得ることができ、また、入場者撮影画像と登録者撮影画像とを比較する際には、その特徴部分だけを比較するだけで本人確認を行うことができる。その際、登録画像の顔の向き、大きさに撮影画像を補正した後、顔の輪郭、目、口、鼻、額等の形、位置、大きさ、髪型、メガネの有無と種類等を個別に比較する他、それらを総合比較することによって画像比較を行うようにしたから、本人確認を確実に行うことができる。
【００６５】
入場管理サーバ１１は、入場管理データベース１６内に記憶されている入場者撮影画像と退場時に撮影された退場者撮影画像とを比較することによって現時点までに退場していない未退場者を特定するようにしたから、入場時や退場時にその手続きを要求したり、ＩＤカードの提示を要求しなくても、入場者と退場者との撮影画像を対比するだけで、現時点の未退場者を容易に特定することが可能となる。
【００６６】
この場合、入場管理サーバ１１は、未退場者の種別に応じた種類の処理を実行するようにしたから、例えば、社員、出入業者、勧誘業者等に応じて適切な対応が可能となる。
また、未退場者が予め決められている退場条件に該当しない場合には、その旨を警備端末３２に通知すると共に、その撮影画像を送信するようにしたから、未退場者のうち、居残り理由のある者を除き、特に問題がある者だけを警備端末３２に通知することができと共に、その警備担当者にあっては、その者の確認を撮影画像によって容易に確認することができる。
【００６７】
なお、上述した実施形態においては、入場者を広範囲に撮影するようにしたが、入口を狭くし、１列入場あるいは２列入場程度にすれば、数人の入場者を正面から撮影することができ、その特徴抽出も容易となる。
また、上述した実施形態においては、入場者の顔画像と登録者の顔画像とを比較するようにしたが、顔画像の特徴抽出の他、補助的な要素として、撮影画像を解析して性別、身長、太り具合、作業着等を検出するようにすれば、より確実な本人確認が可能となる。この場合、性別、身長、太り具合、作業着を撮影画像と共に、画像登録データベース１４内に登録しておけばよい。
【００６８】
上述した実施形態においては、入場者の種別レベルとして、“社員”、“出入業者”、“入場禁止者”、“既来訪者”を判別するようにしたが、種別は、これに限らず、例えば、“社員”を正社員とパートタイマ等の他の社員に分けたり、“出入業者”を取引年数等の取引実績に応じて分類仕分けするようにしてもよい。
また、上述した実施形態においては、一時許可者に対する条件として、日時を制限するようにしたが、その他に、例えば、入室エリア等を制限するようにしてもよく、また、一時許可者としては出入業者に限らず、パートタイマ等であってもよい。
【００６９】
一方、コンピュータに対して、上述した各手段を実行させるためのプログラムコードをそれぞれ記録した記録媒体（例えば、ＣＤ−ＲＯＭ、フロッピィデスク、ＲＡＭカード等）を提供するようにしてもよい。
すなわち、コンピュータが読み取り可能なプログラムコードを有する記録媒体であって、予め登録されている登録者毎に、その種類を示す種別情報と共に登録者を撮影した撮影画像を記憶管理する機能と、入場者を撮影した入場者撮影画像と前記各登録者撮影画像とを比較して入場者の種別を判別する機能と、当該入場者に対して実行する入場処理を前記判別された種別に応じて決定する機能とを実現させるためのプログラムを記録したコンピュータが読み取り可能な記録媒体を提供するようにしてもよい。
【００７０】
コンピュータが読み取り可能なプログラムコードを有する記録媒体であって、入場者を撮影した入場者撮影画像を記憶管理する機能と、前記入場者撮影画像と退場時に撮影された退場者撮影画像とを比較することによって現時点までに退場していない未退場者を特定する機能とを実現させるためのプログラムを記録したコンピュータが読み取り可能な記録媒体を提供するようにしてもよい。
【００７１】
【発明の効果】
第１の発明（請求項１記載の発明）によれば、入場者を撮影した入場者撮影画像と予め登録されている撮影画像とを比較して入場者の種別を判別し、この種別に応じてその入場者に対して実行する入場処理を決定するようにしたから、入場者の種別、例えば、社員、出入業者、パートタイマ等に応じて木目細かな入場処理を実行することができ、多くの警備担当者や受付担当者を配備しておかなくても、確実なセキュリティ管理や適切な受付対応を容易に実現することができる他、警備担当者や受付担当者の負担を大幅に軽減することも可能となる。
第２の発明（請求項１４記載の発明）によれば、入場者を撮影した撮影画像と退場者を撮影した撮影画像とを比較することによって現時点までに退場していない未退場者を特定するようにしたから、入場時や退場時にその手続きを要求したり、ＩＤカードの提示を要求しなくても、入場者と退場者との撮影画像を対比するだけで、現時点の未退場者を特定することが可能となる。
【図面の簡単な説明】
【図１】会社内に構築されているＬＡＮシステムの全体構成を示したブロック図。
【図２】出入口付近に設置されている人物センサ１２、画像撮影装置１３の配置状態を示した図。
【図３】入場管理サーバ１１側に設けられている各種のデータベースを示し、（Ａ）は、画像登録データベース１４、（Ｂ）は、出入業者管理データベース１５、（Ｃ）は、入場管理データベース１６の内容を示した図。
【図４】人事管理サーバ４１側に設けられている各種のデータベースを示し、（Ａ）は、社員データベース４２、（Ｂ）は、タイムカードデータベース４３の内容を示した図。
【図５】受付管理サーバ２１側に設けられている各種のデータベースを示し、（Ａ）は、来訪者データベース２３、（Ｂ）は、予約登録データベース２４の内容を示した図。
【図６】入場管理サーバ１１の基本的構成要素を示したブロック図。
【図７】入口側の人物検知に応答して実行開始される入場管理サーバ１１の動作を示したフローチャート。
【図８】図７に続く、入場管理サーバ１１の動作を示したフローチャート。
【図９】図７および図８に続く、入場管理サーバ１１の動作を示したフローチャート。
【図１０】受付端末２２側での来訪者登録処理を示したフローチャート。
【図１１】入場管理サーバ１１側での来訪者登録処理を示したフローチャート。
【図１２】出口側の人物検知に応答して実行開始される入場管理サーバ１１の動作を示したフローチャート。
【図１３】入場管理サーバ１１が定期的に実行する退場管理処理を示したフローチャート。
【符号の説明】
１　入場管理システム
２　受付管理システム
３　警備管理システム
４　人事管理システム
１１　入場管理サーバ
１２　人物センサ
１３　画像撮影装置
１４　画像登録データベース
１５　出入業者管理データベース
１６　入場管理データベース
２１　受付管理サーバ
２２　携帯型受付端末
２３　来訪者データベース
２４　予約登録データベース
３１　警備管理サーバ
３２　携帯型警備端末
４１　人事管理サーバ
４２　社員データベース
４３　タイムカードデータベース
１０１　ＣＰＵ
１０２　記憶装置
１０４　通信装置
１０５　入力装置
１０６　表示装置
【図１】
2004126829.tif 000003
【図２】
2004126829.tif 000004
【図３】
2004126829.tif 000005
【図４】
2004126829.tif 000006
【図５】
2004126829.tif 000007
【図６】
2004126829.tif 000008
【図７】
2004126829.tif 000009
【図８】
2004126829.tif 000010
【図９】
2004126829.tif 000011
【図１０】
2004126829.tif 000012
【図１１】
2004126829.tif 000013
【図１２】
2004126829.tif 000014
【図１３】
2004126829.tif 000015
【手続補正書】
【提出日】平成14年10月18日(2002.10.18)
【手続補正１】
【補正対象書類名】明細書
【補正対象項目名】請求項７
【補正方法】変更
【補正の内容】
【請求項７】
退場者を撮影する撮影手段を設け、
この撮影手段によって撮影された退場者撮影画像と前記入場者撮影画像とを比較した結果、両者が一致する場合には退場記録を行い、不一致の場合にはその旨を警備担当者側の警備端末にネットワークを介して通知する、
ようにしたことを特徴とする請求項１記載の入場者管理システム。
【手続補正２】
【補正対象書類名】明細書
【補正対象項目名】請求項１２
【補正方法】変更
【補正の内容】
【請求項１２】
前記撮影手段によって撮影された入場者撮影画像は、入口付近全体を撮影した撮影画像の中から人物像を特定して拡大処理した後に、この拡大画像から顔画像の特徴部分を抽出した画像であり、この抽出画像と前記登録者撮影画像との特徴比較を行う、
ようにしたことを特徴とする請求項１記載の入場者管理システム。
【手続補正３】
【補正対象書類名】明細書
【補正対象項目名】請求項１５
【補正方法】変更
【補正の内容】
【請求項１５】
前記特定手段によって特定された未退場者の種別を判別し、その種別に応じて未退場者所持の端末あるいは警備担当者側の警備端末にネットワークを介して未退場である旨を通知する、
ようにしたことを特徴とする請求項１４記載の入場者管理システム。
【手続補正４】
【補正対象書類名】明細書
【補正対象項目名】請求項１６
【補正方法】変更
【補正の内容】
【請求項１６】
前記特定手段によって未退場者が特定された場合に、予め決められている退場条件に該当するかを判別し、その条件に該当しない場合にはその旨を警備担当者側の警備端末にネットワークを介して通知すると共に、その撮影画像を読み出して送信する、
ようにしたことを特徴とする請求項１５記載の入場者管理システム。